(57)【特許請求の範囲】
【請求項１】
一般式ＩＩＩ
【化１】
0005543994.tif 000037
（式中、
Ｎ、ａ＋ｂ＋ｃ＋ｄ＋ｅ＋ｆ＋２＝３から８５０であり、
ａは１から８００であり、
ｃは０から１０であり、
ｄは０から１０であり、
ｅは０から４００であり、
ｆは０から４００であり、さらに
ラジカルＲ１は、互いに独立して同一または異なり、炭素原子１個から４個を有するアルキル基又はフェニルの群からのものであり、
ラジカルＲ４は、互いに独立して、一般式ＩＩＩａ
【化２】
0005543994.tif 000038
（式中、
ｒは１、かつ
ｓは１であるか、または
ｒは３、かつ
ｓは０であり、
Ｘは、水素であり、
Ｒａ１６は、炭素原子６個から３０個を有する天然の植物または動物油を主原料とする一塩基性脂肪酸のアルキルラジカルである）の同一または異なるエステルラジカルであり、
ラジカルＲ５は、各存在において独立して炭素原子１個から３０個を有する飽和または不飽和の、直鎖または分枝したアルキル基、または炭素原子７個から３０個を有するアルカリールラジカルであるか、あるいは
ラジカルＲ５は、一般式ＩＩＩｂ
【化３】
0005543994.tif 000039
（式中、
ｔは１から２８であり、
ｕは０であり、
Ｅは、一般式Ｉａのオキシアルケニルラジカルであり、
ｖは１から２０であり、
Ｇは、ｖ＝１の場合、一般式Ｉｂのグリセロール誘導オキシアルケニルラジカル、あるいはＧは、ｖ＝１の場合、一般式Ｉｃ（式中、ＹおよびＺが互いに独立して−Ｈ、−ＣＨ３、−ＣＨ２ＣＨ３、または−ＣＨ２ＯＨの群からの同一または異なるラジカルである）のラジカル、あるいは
Ｇは、ｖ≧２の場合、ポリグリセロール誘導ラジカルである）のラジカルであり、
ラジカルＲ６は、各存在において独立してＲ１、Ｒ４、またはＲ５（ここでＲ１、Ｒ４、およびＲ５は、上記と同じように定義される）であり、またＲ６はｅ＝０ならばＲ４と同一であり、
ラジカルＲ７は、各存在において独立して、一般式ＩＩＩｃ
【化４】
0005543994.tif 000040
（式中、
Ｒ１、Ｒ４、Ｒ５、およびＲ６は上記と同じように定義される）
の同一または異なるラジカルである）の化合物。
【請求項２】
一般式ＩＩＩ
【化５】
0005543994.tif 000041
（式中、
Ｎ、ａ＋ｂ＋ｃ＋ｄ＋ｅ＋ｆ＋２＝３から８５０であり、
ａは１から８００であり、
ｃは０から１０であり、
ｄは０から１０であり、
ｅは０から４００であり、
ｆは０であり、さらに
ラジカルＲ１は、互いに独立して同一または異なり、炭素原子１個から４個を有するアルキル基又はフェニルの群からのものであり、
ラジカルＲ４は、互いに独立して、一般式ＩＩＩａ
【化６】
0005543994.tif 000042
（式中、
ｒは１であり、
ｓは２から１００であり、
Ｘは、水素であり、
Ｒａ１６は、炭素原子６個から３０個を有する天然の植物または動物油を主原料とする一塩基性脂肪酸のアルキルラジカルである）
の同一または異なるエステルラジカルであり、
ラジカルＲ６は、各存在において独立してＲ１またはＲ４（ここでＲ１およびＲ４は、上記と同じように定義される）であり、またＲ６はｅ＝０ならばＲ４と同一であり、
ラジカルＲ７は、各存在において独立して一般式ＩＩＩｃ
【化７】
0005543994.tif 000043
（式中、
Ｒ１、Ｒ４、Ｒ５、およびＲ６は上記と同じように定義される）
の同一または異なるラジカルである）の化合物。
【請求項３】
一般式Ｉ
【化８】
0005543994.tif 000044
（式中、
Ｗは水素であり、
ｍは０から２８であり、
ｎは０または１であり、
Ａは一般式Ｉａ
【化９】
0005543994.tif 000045
（式中、
Ｘラジカルは独立して−Ｈ、−ＣＨ３、−ＣＨ２ＣＨ３、または−フェニルの群からの同一または異なるラジカルである）
のオキシアルケニルラジカルであり、
ｏは０から１００であり、
ｐは０であり、
ｑは０または１であり、
ｎ＋ｑは１であり、
Ｒａ＝Ｒａ２であり、
Ｒａ２は、一般式Ｉｄ
【化１０】
0005543994.tif 000046
のラジカルであり、
Ｒｃが炭素原子２個から２０個を有する飽和または不飽和の二官能性炭化水素ラジカルである）のエステルを、
一般式Ｖ
【化１１】
0005543994.tif 000047
（式中、
ｇは３から４００であり、
Ｒ１は、各存在において独立して同一または異なり、炭素原子１個から３０個を有する飽和または不飽和の、直鎖または分枝したアルキル基、炭素原子７個から３０個を有するアルカリールラジカル、炭素原子６個から３０個を有するアリールラジカルの群からのものであり、
Ｒ８は、各存在において独立して、それらラジカルの大部分が概して水素であるという条件でＲ１または水素である）のシロキサンにより、
ヒドロシリル化活性触媒の存在下において、前記シロキサンのＳｉＨ官能基と前記エステルの二重結合のモル比が０．８対１．２であるという条件で、ヒドロシリル化することによって得られる化合物。
【請求項４】
Ｗが水素であり、
ｍが０から２８であり、
ｎが１であり、
ｏが０であり、
ｐが０であり、
ｑが０であり、
ＲａがＲａ２である、
請求項３に記載の化合物。
【請求項５】
Ｗが水素であり、
ｍが０から２８であり、
ｎが０であり、
ｏが１から１００であり、
Ｘが水素またはメチルであり、
ｐが０であり、
ｑが１であり、
ＲａがＲａ２である、
請求項３に記載の化合物。
【発明の詳細な説明】
【技術分野】
【０００１】
本発明は、有機基で修飾したシロキサンを調製する新しい方法に関する。
【背景技術】
【０００２】
有機修飾シロキサンはきわめて広範囲な用途に使用される。それらの特性は、その修飾の性質により、また修飾の密度により注文に合わせることができる。
【０００３】
有機修飾シロキサンを生産するために工業的に利用されている一つの方法はヒドロシリル化法である。これは、遷移金属触媒の存在下でＳｉ−Ｈ官能性シロキサンを末端不飽和有機反応の相手と反応させることを含む。
【０００４】
例えば、アリルポリエーテルを用いてシロキサン主鎖に親有機基または非イオン親水基を付着させることができる。このような化合物は、例えばポリウレタン発泡体の安定剤として、燃料における泡止め剤として、または塗料や被膜剤における添加剤として使用される。
【０００５】
これとは対照的にシロキサンはαオレフィンとの反応によって疎水基と結合する。得られるシロキサンワックスは、例えばパーソナルケアの用途において添加剤として役立つ。
【０００６】
シロキサンの効果が、その問題になっている配合物との相溶性に決定的に依存していることは多くの応用分野で明らかである。したがって、幅広い有機ラジカルの原料基剤であって、しかも正確なかつきわめてすぐれた収率での再現性で、ヒドロシリル化によってシロキサン骨格上に付加反応させることができるものを用いることができることが望ましい。
【０００７】
一つのきわめて幅広く、また多くの場合、きわめて有利な値段を有する原料基盤は、カルボン酸グループによって代表される。それらの利用可能な製品は非常に多く、またそれらの特性は著しく異なっている。その例は、脂肪酸のクラスである。
【０００８】
またカルボン酸は、それらのエステルの形態でシロキサン主鎖に付着させることができる。有機エステル基で修飾したこの種類のシロキサンは、様々な合成経路を通って得ることができ、例えばトナー用添加剤として利用されている。
【０００９】
一方、アルコール基を担持するシロキサンの場合はエステル化すること、またカルボン酸エステルの場合はアルコール基を担持するシロキサンでエステル交換反応することが可能である。
【００１０】
しかしこれら二つの方法は、第一にアルコール基を担持するシロキサンを合成しなければならないことを前提としており、多くの場合それは問題を含んでいる可能性がある。この種類のシロキサンは、例えばアリルアルコールまたはグリセロールモノアリルエーテルのなどの末端不飽和アルコールのヒドロシリル化を通じて得ることができる。しかしヒドロシリル化は、一般にそのＳｉ−Ｈ単位がＯＨ官能基と反応してＳｉＯＣ基を形成する副反応を伴う。したがって高度に修飾したシロキサンの場合は特に、その反応生成物は制御されないまた求められていない架橋を急速に受ける。
【００１１】
その上、それによって得られるアルコール官能性シロキサンがその対応するエステルを形成する反応は、１００℃を超える温度での強酸の使用などの一般にエステル化またはヒドロシリル化のために採用されるその反応条件の多くがシロキサン主鎖中の転位反応をひき起すので同様にしばしば問題を含んでいる。
【００１２】
カルボン酸エステル官能基化シロキサンを得るさらなる経路は、末端不飽和エステルのヒドロシリル化である。（特許文献１）および（特許文献２）は末端不飽和エステルの使用について記載しているが、それらはこれら化合物の調製および任意選択の精製に関しては何の情報も与えない。しかしヒドロシリル化はきわめて敏感な反応であるため、なんら問題なくシロキサンとのさらなる反応にかけることができるエステルを得るには、場合によっては多段階の精製の工程が必要である。経済的および毒物学的な立場からは一般に１５ｐｐｍ未満の低い触媒濃度が望ましいが、その結果、トラブルのない反応特性を達成することはさらに難しい。
【００１３】
例えば化粧用エステルの調製にしばしば使用される種類のエステルの工業的調製のための既知の従来の方法は、触媒として酸またはその金属塩の使用を伴う。
【００１４】
しかし、例えばパラトルエンスルホン酸を用いた酸触媒作用による、または例えばシュウ酸スズ（ＩＩ）を用いた金属塩触媒作用による場合のように標準的な方法によって調製されてきた末端不飽和エステルは、その使用された触媒が中和および濾過などの一般的な簡単な方法だけで分離される場合、ヒドロシリル化において不満足な結果をもたらす。後に述べる実施例１、２、１１、および１２は、実験データによりこの事実を実証する。
【先行技術文献】
【特許文献】
【００１５】
【特許文献１】特開平８−１５７６０１号公報
【特許文献２】米国特許出願公開第Ａ−２００３／００９６９１９号明細書
【発明の概要】
【発明が解決しようとする課題】
【００１６】
したがって本発明の目的は、第一に末端不飽和有機エステルの簡単な調製を可能にし、続いて問題なく、実質的に後処理工程なしにそれをヒドロシリル化によってシロキサンと結合させることができる方法を開発することである。
【００１７】
さらなる目的は、明確に明記されないが、次の詳細な説明、実施例、および特許請求の範囲の文脈から明らかになるはずである。
【００１８】
驚くべきことに、末端二重結合を含有する有機エステルは、そのエステル結合のリンキングを酵素触媒作用によって達成する場合、ヒドロシリル化により容易かつきわめてすぐれた収率で、シロキサンとの付加反応にかけることができることを見出した。
【課題を解決するための手段】
【００１９】
したがって本発明は、有機エステルで修飾したシロキサンの調製方法を提供し、この方法は一般式Ｉ
【化１】
0005543994.tif 000002
（式中、
Ｗは水素またはメチル、好ましくは水素であり、
ｍは０から２８、好ましくは１から１７であり、
ｎは０または１であり、
ｏは０から１００であり、
Ａは一般式Ｉａ
【化２】
0005543994.tif 000003
（式中、
Ｘラジカルは独立して−Ｈ、−ＣＨ３、−ＣＨ２ＣＨ３、または−フェニルの群からの同一または異なるラジカル、好ましくは水素である）のオキシアルケニルラジカルであり、
ｐは０から２０であり、
Ｂは、ｐ＝１の場合、任意選択でＲｂでエステル化された、式Ｉｂ
【化３】
0005543994.tif 000004
のグリセロール誘導オキシアルケニルラジカル（ここでＲｂは、炭素原子２個から３０個を有し、任意選択で追加のヒドロキシル基を担持する直鎖、分枝状、飽和、または不飽和カルボン酸のアシルラジカルである）、または
Ｂは、ｐ＝１の場合、一般式Ｉｃ
【化４】
0005543994.tif 000005
（式中、
ＹおよびＺは、互いに独立して−Ｈ、−ＣＨ３、−ＣＨ２ＣＨ３、−ＣＨ２ＯＨ、または−ＣＨ２ＯＲｂの群からの同一または異なるラジカルであり、ここでＲｂは上記と同じように定義される）のラジカル、または、
Ｂは、ｐ≧２の場合、任意選択でＲｂ（ここでＲｂは上記と同じように定義される）でエステル化されたポリグリセロール誘導ラジカルであり、
Ｒａは、水素、Ｒａ１またはＲａ２であり、
ここで、
Ｒａ１は、任意選択でヒドロキシル基を担持し、任意選択でカルボン酸でエステル化されたヒドロキシル基を担持し、また任意選択でアミノ基、アルキルアミノ基、またはジアルキルアミノ基を担持する、炭素原子１個から２００個を有する直鎖または分枝状、飽和または不飽和のアルキルラジカルであり、
Ｒａ２は、一般式Ｉｄ
【化５】
0005543994.tif 000006
のラジカルであって、そして、
Ｒｃは、炭素原子２個から２０個を有する飽和または不飽和の二官能性炭化水素ラジカルであり、
ここで、
ｎ＋ｑ＝１であり、
もしＲａが水素である場合、
ｑは０、かつ
ｏ＋ｐ≧１である）
の末端不飽和エステルを生体触媒作用によって調製することを含む。
【００２０】
本発明によれば一般式Ｉ
（式中、
ｎ、ｏ、およびｐ＝０であり、
Ｗは水素であり、
ｍは１から２８、好ましくは１から４であり、
ｑは１であり、
Ｒａ、Ｒａ１＝Ｒａ１１、またはＲａ＝Ｒａ２である）の化合物を使用することが好ましい。
【００２１】
ここでＲａ１１は、酢酸、プロパン酸、ブタン酸、ペンタン酸、クロロ酢酸、トリフルオロ酢酸、エチルへキサン酸、イソノナン酸、イソトリデカン酸、またはイソステアリン酸などの商業上慣習的な酸から得られるアルキルラジカルである。さらにＲａ１１は、カプロン酸、カプリル酸、カプリン酸、ラウリン酸、ミリスチン酸、パルミチン酸、パルミトレイン酸、イソステアリン酸、ステアリン酸、１２−ヒドロキシステアリン酸、ジヒドロキシステアリン酸、オレイン酸、リノレン酸、ペトロセレン酸、エライジン酸、アラキジン酸、ベヘン酸、エルカ酸、ガドレイン酸、リノレン酸、エイコサペンタエン酸、ドコサヘキサエン酸、アラキドン酸などの炭素原子６個から３０個を有する、特に炭素原子８個から２２個を有する天然の植物または動物油を主原料とする一塩基性脂肪酸から得られるアルキルラジカルであり、単独でまたは混合して使用することができる。ラジカルＲａ１１としては、ポリ−１２−ヒドロキシステアリン酸またはポリリシノール酸などのヒドロキシ官能基化した酸の縮合重合生成物から得られるアルキルラジカルを使用することも同じように可能である。
【００２２】
本発明によれば、同様に一般式Ｉ
（式中、
ｎおよびｐは０であり、
Ｗは水素であり、
ｍは１から２８、好ましくは１から４、特に１であり、
ｏは１から１００、特に１であり、
ｑは１であり、
ＲａはＲａ１＝Ｒａ１１、またはＲａ＝Ｒａ２（ここでＲａ１１およびＲａ２は上記と同じように定義される）である）の化合物を使用することが好ましい。
【００２３】
本発明によれば、同様に一般式Ｉ
（式中、
ｎおよびｏは０であり、
Ｗは水素であり、
ｍは１から２８、好ましくは１から４、特に１であり、
Ｂは、−ＣＨ２−ＣＨ２ＯＨ−ＣＨ２−Ｏ−または−ＣＨ２−ＣＨ２ＯＲｂ−ＣＨ２−Ｏ−であり、
ｐは１から２０、好ましくは１であり、
ｑは１であり、
ＲａはＲａ１＝Ｒａ１１、またはＲａ＝Ｒａ２
（ここでＲａ１１、Ｒａ２、およびＲｂは上記と同じように定義される）である）のエステルを使用することが好ましい。
【００２４】
この文脈においてこのポリグリセロール誘導体（ｐ≧２）は、ポリグリセロール、例えば１，２−結合を得るための、文献で知られている一般的な方法で生ずる種類の、式Ｉｂから明らかな１，３−結合とは別のグリセロール単位の結合を少なくとも一部有することが可能である。
【００２５】
同様に一般式Ｉ
（式中、
ｎおよびｏは０であり、
Ｗは水素であり、
ｍは１から２８、好ましくは１から４、特に１であり、
Ｂは−ＣＨ２−ＣＹＺ−ＣＨ２−Ｏ−であり、
ｐはｑ＝１であり、
ＲａはＲａ１＝Ｒａ１１、またはＲａ＝Ｒａ２
（ここでＹ、Ｘ、Ｒａ１１、およびＲａ２は上記と同じように定義される）である）のエステルが本発明により好んで用いられる。
【００２６】
同様に一般式Ｉ
（式中、
ｎは１であり、
Ｗは水素またはＣＨ３、好ましくは水素であり、
ｍは０から２７、好ましくは１から１０であり、
ｏおよびｐは０であり、
ＲａはＲａ１＝Ｒａ１２、またはＲａ＝Ｒａ２（ここでＲａ２は上記と同じように定義され、Ｒａ１２は、任意選択で１個または複数個の多重結合を含有し、あるいは任意選択でヒドロキシル基を担持し、あるいは任意選択でカルボン酸でエステル化されたヒドロキシル基を担持し、あるいは任意選択でアミノ基、アルキルアミノ基、またはジアルキルアミノ基を担持する、炭素原子２個から３０個を有する、好ましくは炭素原子６個から２２個を有する置換または非置換の、任意選択で分枝したアルコールの炭化水素ラジカルである）である）のエステルが本発明により好んで用いられる。
【００２７】
Ｒａ１２の例は、プロパノール、ブタノール、ペンタノール、ヘキサノール、オクタノール、またイソプロパノール、イソブタノール、２−エチルヘキサノール、イソノニルアルコール、イソトリデシルアルコールなどのこれらの異性体、また１，６−ヘキサンジオール、１，２−ペンタンジオール、ジヒドロキシアセトン、１，２−プロピレングリコール、１，３−プロピレングリコール、ネオペンチルグリコール、トリメチロールプロパン、ペンタエリトリトール、ソルビトール、グリセロール、ジグリセロール、トリグリセロール、ポリグリセロール、エチレングリコール、ジエチレングリコール、トリエチレングリコール、ポリエチレングリコールなどの多価アルコール、またＮ，Ｎ−ジメチルエタノールアミンなどのアミノ官能基化アルコールの炭化水素ラジカルである。さらなる例は、カプロン酸、カプリル酸、カプリン酸、ラウリン酸、ミリスチン酸、パルミチン酸、パルミトレイン酸、イソステアリン酸、ステアリン酸、１２−ヒドロキシステアリン酸、ジヒドロキシステアリン酸、オレイン酸、リノレン酸、ペトロセリン酸、エライジン酸、アラキジン酸、ベヘン酸、エルカ酸、およびガドレイン酸などの炭素原子６個から３０個を有する、特に炭素原子８個から２２個を有する天然の植物または動物油を主原料とする一塩基性脂肪酸から周知の方法により調製されるアルコールの炭化水素ラジカルであり、単独でまたは混合して使用することができる。
【発明を実施するための形態】
【００２８】
本発明によれば一般式Ｉのエステルは、触媒として少なくとも１種類の酵素を用いてその対応するアルコールと酸を縮合させることによって調製される。本発明によれば酸の代わりにエステル交換反応用のカルボン酸と揮発性アルコールとのその対応するエステルを使用することが可能であり、好適なこれらエステルの例はメチル、エチル、またはビニルエステルである。
【００２９】
本発明により使用することができる酵素は、コレステロールエステラーゼ、ブタの肝臓由来のエステラーゼ、またはカンジダルゴサ（Ｃｎａｄｉｄａ ｒｕｇｏｓａ）、シュードモナス（Ｐｓｅｕｄｏｍｏｎａｓ）種、サーモマイセスラヌギノサス（Ｔｈｅｒｍｏｍｙｃｅｓ ｌａｎｇｏｓｉｏｓｕｓ）、ブタの膵臓、ムコールミエヘイ（Ｍｕｃｏｒ ｍｉｅｈｅｉ）、およびアルカリゲネス（Ａｌｃａｌｉｇｅｎｅｓ）種由来のリパーゼなど、リパーゼ、エステラーゼ、またはプロテアーゼなどの加水分解酵素群由来のもの、好ましくはリパーゼ、特に好ましくはカンジダアンタークチカ（Ｃａｎｄｉｄａ Ａｎｔａｒｃｔｉｃａ）由来のリパーゼＢである。
【００３０】
本発明によれば全細胞、休止細胞、固定化細胞、精製酵素、またはその対応する酵素を含有する細胞抽出物、またはこれらの混合物を使用することが可能である。本発明によればこれら酵素は全細胞系で、遊離形態で、または適切な支持体上に固定化して使用することができる。
【００３１】
本発明の方法においてはこれら反応物を適切なリアクター（例えば、スターラーを備えた丸底フラスコまたは固定層リアクター）中で混合し、使用される生体触媒の最適な使用温度まで加熱する。使用される生体触媒に応じてこの温度は、２０℃から１００℃、好ましくは３５℃から８０℃である。固定層リアクターを用いる場合、その固定層に選択された酵素を装入し、その反応温度に達した後に固定層を介して反応混合物を注入する。固定層リアクターが存在しない場合は酵素を反応混合物に直接加え、反応の終了後に適切な装置を用いて濾過により単離する。できるだけ完全に近い転化を達成するには、反応の間に形成される水または低沸点のアルコールを、真空の適用によって、またはその混合物中の不活性ガス（例えば窒素）の通過または吸収剤（例えばモレキュラーシーブ）の使用によるなどの他の適切な手法によって除去する。
【００３２】
本発明によればこの方法で得られたエステルは、後に相互の混合物として、かつ／または他の末端不飽和有機化合物（例は、アリルオキシエタノール、グリセロールモノアリルエーテル、アリルトリメチロールプロパン、αオレフィン、または末端不飽和ポリエーテルである）との混合物として、適切な箇所でまたヒドロシリル化による周知の方法によって一般式ＩＩ
【化６】
0005543994.tif 000007
（式中、
Ｎ、ａ＋ｂ＋ｃ＋ｄ＋２＝３から８５０、好ましくは６から１６０であり、
ａは１から８００、好ましくは２から１５０であり、
ｂは０から４００、好ましくは２から７５であり、
ｃは０から１０、好ましくは０であり、
ｄは０から１０、好ましくは０であり、
さらに式中、
ラジカルＲ１は互いに独立して同一または異なり、炭素原子１個から３０個を有する飽和または不飽和の、任意選択で分枝したアルキル基、炭素原子７個から３０個を有するアルカリールラジカル、炭素原子６個から３０個を有するアリールラジカルの群からのもの、好ましくは炭素原子１個から４個を有するアルキル基、またはフェニル、特にメチルであり、
ラジカルＲ２は互いに独立して水素またはＲ１であり、
ラジカルＲ３は互いに独立して一般式ＩＩａ
【化７】
0005543994.tif 000008
の同一または異なるラジカルである）のＳｉＨポリシロキサンと反応する。
【００３３】
ある特定の実施形態ではこのＳｉＨポリシロキサンは、２個以上の末端Ｈ２Ｃ＝ＣＨ基を含有するエステルのみと反応するか、またはそれとある程度まで反応する。これらのエステルは、Ｒａ２が式Ｉｄで記述される一般式Ｉに相当する。この方法では比較的高い分子質量の、一般には架橋した有機修飾シロキサンが得られる。
【００３４】
熟練した研究者は、これらの化合物が本質的に統計学の法則に支配される分布を有する混合物の形態であることをよく知っている。したがって添え字ａ、ｂ、ｃ、およびｄの値は平均値を表す。
【００３５】
本発明によればこのヒドロシリル化は、触媒の存在下で確立されている方法により行われる。この文脈中においては、例えば、白金、ロジウム、オスミウム、ルテニウム、パラジウム、またはイリジウムの錯体、あるいは類似の化合物、あるいはその対応する元素単独、あるいはシリカ、アルミナ、または活性炭素、または類似の支持材料上に固定化されたこれらの誘導体などのヒドロシリル化用に一般に使用される触媒を用いることが可能である。好ましくはこのヒドロシリル化は、シス白金またはカルシュテット触媒［トリス（ジビニルテトラ−メチルジシロキサン）二白金］などのＰｔ触媒の存在下で行う。
【００３６】
使用される好ましい触媒量は、オレフィン１ｍｏｌ当たり１０−７から１０−１ｍｏｌ、好ましくは１から２０ｐｐｍである。このヒドロシリル化は、０から２００℃の間、好ましくは５０から１４０℃の間の温度で行う。溶媒は、通常はこの反応の実施には必要でない。しかしこの反応は、脂肪族または芳香族炭化水素、環状オリゴシロキサン、アルコール類、またはエステル類などの適切な溶媒中で行うことができる。
【００３７】
本発明は、さらに式Ｉ（式中、ｎ＝ｐ＝０、Ｗ＝Ｘ＝水素、ｍ＝ｏ＝ｑ＝１、およびＲａ＝Ｒａ１３である）の化合物を提供する。Ｒａ１３は、炭素原子８個から１６個を有する天然の植物または動物油を主原料とする一塩基性脂肪酸から得られるアルキルラジカルであり、単独でまたは混合させて存在することができる。本発明によればＲａ１３はまた、イソノナン酸（３，５，５−トリメチルへキサン酸）、２−エチルヘキサン酸、リシノール酸、１２−ヒドロキシステアリン酸、ポリリシノール酸、またはポリ１２−ヒドロキシステアリン酸のアルキルラジカルであることもできる。
【００３８】
本発明は、さらに式Ｉ（式中、ｎ＝ｐ＝０、Ｗ＝水素、Ｘ＝水素またはメチル、好ましくは水素、ｍ＝ｑ＝１、ｏ＝２から１００、好ましくは３から１００、またＲａ＝Ｒａ１４である）の化合物を提供する。Ｒａ１４は、例えばブタン酸またはペンタン酸などの炭素原子４個から３０個を有する商業上慣習的な酸のアルキルラジカル、またこれに加えてカプロン酸、カプリル酸、カプリン酸、ラウリン酸、ミリスチン酸、パルミチン酸、パルミトレイン酸、イソステアリン酸、ステアリン酸、１２−ヒドロキシステアリン酸、ジヒドロキシステアリン酸、オレイン酸、リノレン酸、ペトロセリン酸、エライジン酸、アラキジン酸、ベヘン酸、エルカ酸、ガドレイン酸、リノレン酸、エイコサペンタエン酸、ドコサヘキサエン酸、およびアラキドン酸などの炭素原子６個から３０個を有する、特に炭素原子８個から２２個を有する天然の植物または動物油を主原料とする一塩基性脂肪酸のアルキルラジカルであり、単独でまたは混合させて使用することができる。このラジカルＲａ１４は同様に、例えばポリ−１２−ヒドロキシステアリン酸またはポリリシノール酸などのヒドロキシ官能基化した酸の縮合重合生成物のアルキルラジカルであることができる。
【００３９】
本発明は、さらに式Ｉ（式中、ｎ＝ｏ＝ｐ＝０、ｑ＝１、Ｗ＝水素、ｍ＝２から４、好ましくは４、またＲａ＝Ｒａ１４である）の化合物を提供する。ここでＲａ１４は上記と同じように定義される。
【００４０】
本発明はさらに、式Ｉ（式中、ｎ＝ｏ＝０、Ｗ＝水素、ｍ＝ｐ＝ｑ＝１、Ｂ＝−ＣＨ２−ＣＨ２ＯＨ−ＣＨ２−Ｏ−、またＲａ＝Ｒａ１５である）の化合物を提供する。Ｒａ１５は、ミリスチン酸またはココヤシ脂肪酸のアルキルラジカルである。
【００４１】
本発明は、さらに一般式ＩＩＩ
【化８】
0005543994.tif 000009
（式中、
Ｎ、ａ＋ｂ＋ｃ＋ｄ＋ｅ＋ｆ＋２＝３から８５０、好ましくは６から１６０であり、
ａは１から８００、好ましくは２から１５０であり、
ｃは０から１０、好ましくは０であり、
ｄは０から１０、好ましくは０であり、
ｅは０から４００、好ましくは２から７５であり、また
ｆは０から４００、好ましくは０から７５であり、
この場合において、
ラジカルＲ１は互いに独立して同一または異なり、炭素原子１個から３０個を有する飽和または不飽和の、任意選択で分枝したアルキル基、炭素原子７個から３０個を有するアルカリールラジカル、炭素原子６個から３０個を有するアリールラジカルの群からのもの、好ましくは炭素原子１個から４個を有するアルキル基、またはフェニル、特にメチルであり、
ラジカルＲ４は互いに独立して、一般式ＩＩＩａ
【化９】
0005543994.tif 000010
（式中、
ｒは３、かつ
ｓは０であるか、または
ｒは１、かつ
ｓは１から１００、好ましくは１であり、
Ｘは、各存在において独立して−Ｈ、−ＣＨ３、−ＣＨ２ＣＨ３、またはフェニルの群からの同一または異なるラジカル、好ましくは水素であり、
Ｒａ１６は、カプロン酸、カプリル酸、カプリン酸、ラウリン酸、ミリスチン酸、パルミチン酸、パルミトレイン酸、イソステアリン酸、ステアリン酸、１２−ヒドロキシステアリン酸、ジヒドロキシステアリン酸、オレイン酸、リノレン酸、ペトロセリン酸、エライジン酸、アラキジン酸、ベヘン酸、エルカ酸、ガドレイン酸、リノレン酸、エイコサペンタエン酸、ドコサヘキサエン酸、またはアラキドン酸などの炭素原子６個から３０個を有する、特に炭素原子８個から２２個を有する天然の植物または動物油を主原料とする一塩基性脂肪酸の、単独でまたは混合させて存在することができるアルキルラジカルであり、ラジカルＲａ１６はまた、例えばポリ−１２−ヒドロキシステアリン酸またはポリリシノール酸などのヒドロキシ官能基化した酸の縮合重合生成物のアルキルラジカルであることができる）の同一または異なるエステルラジカルであり、
さらに、
ラジカルＲ５は各存在において独立して、炭素原子１個から３０個を有する飽和または不飽和の、任意選択で分枝したアルキル基、もしくは炭素原子７個から３０個を有するアルカリールラジカル、好ましくは炭素原子６個から２２個を有するアルキル基であるか、あるいは
ラジカルＲ５は、一般式ＩＩＩｂ
【化１０】
0005543994.tif 000011
（式中、
ｔは１から２８であり、
ｕは１から１００であり、
Ｅは、一般式Ｉａ
【化１１】
0005543994.tif 000012
（式中、
Ｘラジカルがそれぞれ独立して−Ｈ、−ＣＨ３、−ＣＨ２ＣＨ３、または−フェニルの群からの同一または異なるラジカル、好ましくは水素である）のオキシアルケニルラジカルであり、
ｖは０から２０であり、
Ｇは、ｖ＝１の場合、一般式Ｉｂ
【化１２】
0005543994.tif 000013
のグリセロール誘導オキシアルケニルラジカル、
あるいはＧは
一般式Ｉｃ
【化１３】
0005543994.tif 000014
（式中、
ＹおよびＺが互いに独立して−Ｈ、−ＣＨ３、−ＣＨ２ＣＨ３、または−ＣＨ２ＯＨの群からの同一または異なるラジカルである）のラジカル、あるいは
Ｇは、ｖ≧２の場合、ポリグリセロール由来のラジカルであり、
ラジカルＲ６は各存在において独立してＲ１、Ｒ４、またはＲ５（ここでＲ１、Ｒ４、およびＲ５は上記と同じように定義される）であり、またＲ６はｅ＝０ならばＲ４と同一であり、
ラジカルＲ７は各存在において独立して、一般式ＩＩＩｃ
【化１４】
0005543994.tif 000015
（式中、
Ｒ１、Ｒ４、Ｒ５、およびＲ６は上記と同じように定義される）の同一または異なるラジカルである）のシロキサン化合物を提供する。
【００４２】
一般式ＩＩＩｂによるラジカルは、具体的には
ｔが１から２８、特に１であり、
ｕが１から１００、特に１から２０、特に好ましくは１であり、かつ
ｖが０であるか、あるいは
ｔが１から２８、特に１であり、
ｕが０であり、かつ
ｖが１から２０、特に１から６、特に好ましくは１である、化合物であることができる。
【００４３】
下記の実施例１、２、１１、および１２は発明によるものではなく、現状技術を例示するものである。実施例３から１０、および１３から２０は、本発明の化合物の調製方法およびそれらの特性をより詳細に記述する。これら実施形態は、この方法を例示する役目を有し、いかなる形でも本発明の適用範囲を限定するものではない。１Ｈ、１３Ｃ、２９Ｓｉ−ＮＭＲならびにＧＰＣによる分析方法の結果は、それら生成物の表示の構造に従っている。
【実施例】
【００４４】
実施例１
ココヤシ脂肪酸１−アリルグリセリルエステル
【化１５】
0005543994.tif 000016
のＰＴＳＡ触媒による合成
【００４５】
多頸丸底フラスコに１−アリルグリセロール１８５．１ｇおよびココヤシ脂肪酸２１３．４ｇを装入する。パラトルエンスルホン酸（ＰＴＳＡ）０．４ｇの添加後、この始発装入物を窒素雰囲気下で１７０℃に加熱する。７時間後、反応混合物を冷却し、触媒をＫ２ＣＯ３溶液（水中５０％）１．５１ｇで中和し、水を減圧下で蒸留して除き、固形物を濾過により取り出す。この濾液は、さらなる後処理なしに生成物３７９ｇを淡い褐色の液体として生ずる。
【００４６】
実施例２
ココヤシ脂肪酸１−アリルグリセリルエステル
【化１６】
0005543994.tif 000017
のシュウ酸スズ（ＩＩ）触媒による合成
【００４７】
多頸丸底フラスコに１−アリルグリセロール１８５．１ｇおよびココヤシ脂肪酸２１３．４ｇを装入する。シュウ酸スズ（ＩＩ）０．７ｇの添加後、この始発装入物を窒素雰囲気下で２２０℃に加熱する。４時間後、反応混合物を冷却し、タイネックスＰ（Ｔｉｎｅｘ Ｐ）（マンハイムのゴールドシュミットＴＩＢ（Ｇｏｌｄｓｃｈｍｉｄｔ ＴＩＢ，Ｍａｎｎｈｅｉｍ））２．４ｇを用いて触媒を濾過して除く。この濾液は、さらなる後処理なしに生成物３７０ｇを淡い褐色の液体として生ずる。
【００４８】
実施例３
ココヤシ脂肪酸１−アリルグリセリルエステル
【化１７】
0005543994.tif 000018
の酵素による合成
【００４９】
多頸丸底フラスコに１−アリルグリセロール１８５．１ｇおよびココヤシ脂肪酸２１３．４ｇを装入し、この始発装入物を５０℃に加熱する。ノボザイム４３５（Ｎｏｖｏｚｙｍ ４３５）（デンマーク国バグスバードのノボザイムスＡ／Ｓ（Ｎｏｖｏｚｙｍｅｓ Ａ／Ｓ，Ｂａｇｓｖａｅｒｄ，Ｄｅｎｍａｒｋ）から購入したカンジダアンタークチカ（Ｃ．ａｎｔａｒｃｔｉｃａ）由来の固定化リパーゼＢ）１９ｇの添加後、減圧（２０ミリバール）を適用し、蒸留により反応の水を除去する。７時間後、固定化酵素を濾過により除去する。この濾液は、さらなる後処理なしに生成物３７９ｇを無色の液体として生ずる。
【００５０】
実施例４
ステアリン酸１−アリルグリセリルエステル
【化１８】
0005543994.tif 000019
の酵素による合成
【００５１】
多頸丸底フラスコに１−アリルグリセロール１５８．６ｇおよびステアリン酸２３７ｇを装入し、この始発装入物を６０℃に加熱する。リポザイムＲＭ １Ｍ（Ｌｉｐｏｚｙｍ ＲＭ １Ｍ）（ムコールミエヘイ、ノボザイムスＡ／Ｓ（Ｍｕｃｏｒ ｍｉｅｈｅｉ，Ｎｏｖｏｚｙｍｅｓ Ａ／Ｓ）から入手した固定化リパーゼ）１９ｇの添加後、減圧（２０ミリバール）を適用し、蒸留により反応の水を除去する。４８時間後、固定化酵素を濾過により除去する。この濾液は、さらなる後処理なしに生成物３８２ｇを無色の液体として生ずる。
【００５２】
実施例５
ココヤシ脂肪酸アリルオキシエタノールエステル
【化１９】
0005543994.tif 000020
の酵素による合成
【００５３】
多頸丸底フラスコにアリルオキシエタノール１３４．８ｇおよびココヤシ脂肪酸２４３．９ｇを装入し、この始発装入物を４０℃に加熱する。ノボザイム４３５を１８ｇ添加後、減圧（２０ミリバール）を適用し、蒸留により反応の水を除去する。１０時間後、固定化酵素を濾過により除去する。この濾液は、さらなる後処理なしに生成物３４４ｇを無色の液体として生ずる。
【００５４】
実施例６
ココヤシ脂肪酸ヘキセニルエステル
【化２０】
0005543994.tif 000021
の酵素による合成
【００５５】
多頸丸底フラスコにヘキサ−５−エン−１−オール１４０．０ｇおよびココヤシ脂肪酸２５８．１ｇを装入し、この始発装入物を６０℃に加熱する。ノボザイム４３５を１９ｇ添加後、減圧（２０ミリバール）を適用し、蒸留により反応の水を除去する。７時間後、固定化酵素を濾過により除去する。この濾液は、さらなる後処理なしに生成物３６０ｇを無色の液体として生ずる。
【００５６】
実施例７
ウンデシレン酸オクチルエステル
【化２１】
0005543994.tif 000022
の酵素による合成
【００５７】
多頸丸底フラスコに１−オクタノール８２ｇおよびウンデシレン酸メチル１２４．９ｇを装入し、この始発装入物を６０℃に加熱する。ノボザイム４３５を１０ｇ添加後、減圧（２０ミリバール）を適用し、遊離したメタノールを蒸留により除去する。６時間後、固定化酵素を濾過により除去する。この濾液は、さらなる後処理なしに生成物１８６ｇを無色の液体として生ずる。
【００５８】
実施例８
ジウンデシレン酸１，６−ヘキサンジオール
【化２２】
0005543994.tif 000023
【００５９】
多頸丸底フラスコに１，６−ヘキサンジオール４４．９ｇおよびウンデシレン酸メチル１５０．７ｇを装入し、この始発装入物を６０℃に加熱する。ノボザイム４３５を９．８ｇ添加後、減圧（２０ミリバール）を適用し、遊離したメタノールを蒸留により除去する。６時間後、固定化酵素を濾過により除去する。この濾液は、さらなる後処理なしに生成物１７１ｇを無色の液体として生ずる。
【００６０】
実施例９
アジピン酸ジアリルオキシエチル
【化２３】
0005543994.tif 000024
【００６１】
多頸丸底フラスコにアジピン酸１２５．６ｇおよびアリルオキシエタノール２１０．７ｇを装入し、この始発装入物を６０℃に加熱する。ノボザイム４３５を１５．９ｇ添加後、減圧（２０ミリバール）を適用し、遊離した水を蒸留により除去する。８時間後、固定化酵素を濾過により除去する。この濾液は、さらなる後処理なしに生成物２７０ｇを無色の液体として生ずる。
【００６２】
実施例１０
ラウリン酸アリルポリエチレングリコール−７
【化２４】
0005543994.tif 000025
【００６３】
多頸丸底フラスコにアリルポリエチレングリコール−７を２００．４ｇおよびラウリン酸を１００．２ｇ装入し、この始発装入物を６０℃に加熱する。ノボザイム４３５を１５ｇ添加後、減圧（２０ミリバール）を適用し、遊離した水を蒸留により除去する。８時間後、固定化酵素を濾過により除去する。この濾液は、さらなる後処理なしに生成物２９１ｇを無色の液体として生ずる。
【００６４】
実施例１１
実施例１の反応生成物をヒドロシリル化する試み
【００６５】
この目的は、一般式ＸＩＩ
【化２５】
0005543994.tif 000026
のポリシロキサンを調製することである。
【００６６】
スターラー、滴下漏斗、温度計、および還流冷却器を備えた四つ口フラスコに、グリセロールモノアリルエーテル８．５ｇ（６４ｍｍｏｌ）、実施例１からのココヤシ脂肪酸グリセロールモノアリルエーテルエステル３１．５ｇ（９６ｍｍｏｌ）、およびカルシュテット触媒１０ｐｐｍを装入する。この始発装入物を９５℃に加熱する。一般式ＸＩＩＩ
【化２６】
0005543994.tif 000027
のＳｉＨシロキサン３４．１ｇ（ＳｉＨの１２３ｍｍｏｌ）を１滴ずつ加え、このバッチを９５℃で攪拌する。このバッチはきわめて速やかにゲルになり、そこで反応は終結する。
【００６７】
実施例１２
実施例２の反応生成物をヒドロシリル化する試み
この目的は、一般式ＸＩＩのポリシロキサンを調製することである。
【００６８】
スターラー、滴下漏斗、温度計、および還流冷却器を備えた四つ口フラスコに、グリセロールモノアリルエーテル８．５ｇ（６４ｍｍｏｌ）、実施例２からのココヤシ脂肪酸グリセロールモノアリルエーテルエステル３１．５ｇ（９６ｍｍｏｌ）、およびカルシュテット触媒１０ｐｐｍを装入する。この始発装入物を９５℃に加熱する。一般式ＸＩＩＩのＳｉＨシロキサン３４．１ｇ（ＳｉＨの１２３ｍｍｏｌ）を１滴ずつ加え、このバッチを９５℃で攪拌する。このバッチはきわめて速やかにゲルになり、そこで反応は終結する。
【００６９】
実施例１３
実施例３の反応生成物をヒドロシリル化する試み
一般式ＸＩＩの本発明のポリシロキサンの調製。
【００７０】
スターラー、滴下漏斗、温度計、および還流冷却器を備えた四つ口フラスコに、グリセロールモノアリルエーテル８．５ｇ（６４ｍｍｏｌ）、実施例３からのココヤシ脂肪酸グリセロールモノアリルエーテルエステル３１．５ｇ（９６ｍｍｏｌ）、およびカルシュテット触媒１０ｐｐｍを装入する。この始発装入物を９５℃に加熱する。一般式ＸＩＩＩのＳｉＨシロキサン３４．１ｇ（ＳｉＨの１２３ｍｍｏｌ）を１滴ずつ加え、このバッチを９５℃で１時間攪拌する。ＳｉＨ値の測定によりＳｉＨシロキサンの完全な転化が得られる。続いて揮発分を減圧下で１１０℃において蒸留して除く。この結果、粘性のわずかに混濁した淡黄色の生成物が得られる。
【００７１】
実施例１４
実施例４の反応生成物をヒドロシリル化する試み
一般式ＸＩＶの本発明のポリシロキサンの調製。
【化２７】
0005543994.tif 000028
【００７２】
スターラー、滴下漏斗、温度計、および還流冷却器を備えた四つ口フラスコに、グリセロールモノアリルエーテル２０．６ｇ（１５６ｍｍｏｌ）、実施例４からのステアリン酸グリセロールモノアリルエーテルエステル２０３．９ｇ（４９４ｍｍｏｌ）、およびカルシュテット触媒１０ｐｐｍを装入する。この始発装入物を９０℃に加熱する。一般式ＸＩＩＩのＳｉＨシロキサン１４２．５ｇ（ＳｉＨの５００ｍｍｏｌ）を１滴ずつ加え、このバッチを９０℃で１．５時間攪拌する。ＳｉＨ値の測定によりＳｉＨシロキサンの完全な転化が得られる。続いて揮発分を減圧下で１００℃において蒸留して除く。この結果、鮮黄色のワックス状固体生成物が得られる。
【００７３】
実施例１５
実施例５の反応生成物をヒドロシリル化する試み
一般式ＸＶの本発明のポリシロキサンの調製。
【化２８】
0005543994.tif 000029
【００７４】
スターラー、滴下漏斗、温度計、および還流冷却器を備えた四つ口フラスコに、実施例５からのココヤシ脂肪酸アリルオキシエタノールエステル２９．１ｇ（１００ｍｍｏｌ）およびカルシュテット触媒１０ｐｐｍを装入する。この始発装入物を９５℃に加熱する。一般式ＸＩＩＩのＳｉＨシロキサン２２．２ｇ（ＳｉＨの７７ｍｍｏｌ）を１滴ずつ加え、このバッチを９５℃で１時間攪拌する。ＳｉＨ値の測定によりＳｉＨシロキサンの完全な転化が得られる。続いて揮発分を減圧下で１１０℃において蒸留して除く。この結果、わずかに粘性の淡黄色の生成物が得られる。
【００７５】
実施例１６
実施例６の反応生成物をヒドロシリル化する試み
一般式ＸＶＩの本発明のポリシロキサンの調製。
【化２９】
0005543994.tif 000030
【００７６】
スターラー、滴下漏斗、温度計、および還流冷却器を備えた四つ口フラスコに、グリセロールモノアリルエーテル６．２ｇ（４７ｍｍｏｌ）、実施例６からのココヤシ脂肪酸ヘキサ−５−エン−１−オールエステル２３．６ｇ（８３ｍｍｏｌ）、およびカルシュテット触媒１０ｐｐｍを装入する。この始発装入物を９５℃に加熱する。一般式ＸＩＩＩのＳｉＨシロキサン２８．９ｇ（ＳｉＨの１００ｍｍｏｌ）を１滴ずつ加え、このバッチを９５℃で１時間攪拌する。ＳｉＨ値の測定によりＳｉＨシロキサンの完全な転化が得られる。続いて揮発分を減圧下で１１０℃において蒸留して除く。この結果、粘性のわずかに混濁したほぼ無色の生成物が得られる。
【００７７】
実施例１７
実施例７の反応生成物をヒドロシリル化する試み
一般式ＸＶＩＩの本発明のポリシロキサンの調製。
【化３０】
0005543994.tif 000031
【００７８】
スターラー、滴下漏斗、温度計、および還流冷却器を備えた四つ口フラスコに、実施例７からのウンデシレン酸オクチルエステル１９．２ｇ（６５ｍｍｏｌ）およびカルシュテット触媒１０ｐｐｍを装入する。この始発装入物を９５℃に加熱する。一般式ＸＶＩＩＩ
【化３１】
0005543994.tif 000032
のＳｉＨシロキサン５７．２ｇ（ＳｉＨの５０ｍｍｏｌ）を１滴ずつ加え、このバッチを９５℃で２時間攪拌する。ＳｉＨ値の測定によりＳｉＨシロキサンの完全な転化が得られる。続いて揮発分を減圧下で１１０℃において蒸留して除く。この結果、透明なほぼ無色の液体が得られる。
【００７９】
実施例１８
実施例８の反応生成物をヒドロシリル化する試み
一般式ＸＩＸの本発明のポリシロキサンコポリマーの調製。
【化３２】
0005543994.tif 000033
【００８０】
スターラー、滴下漏斗、温度計、および還流冷却器を備えた四つ口フラスコに、実施例８からのウンデシレン酸１，６−ヘキサンジオールジエステル４１．２ｇ（９１ｍｍｏｌ）およびシス−白金触媒１５ｐｐｍを装入する。この始発装入物を１２０℃に加熱する。１０分間のあいだに一般式ＸＸ
【化３３】
0005543994.tif 000034
のＳｉＨシロキサン４６．６ｇ（ＳｉＨの１４０ｍｍｏｌ）を１滴ずつ加え、このバッチを１２０℃で１時間攪拌する。ＳｉＨ値の測定によりＳｉＨシロキサンの完全な転化が得られる。この結果、わずかに不透明でわずかに黄色の油が得られる。ＧＰＣによる分子量分布は、Ｍｗ＝１２３１９、Ｍｎ＝４６７２である。
【００８１】
実施例１９
実施例９の反応生成物をヒドロシリル化する試み
一般式ＸＸＩの本発明のポリシロキサンコポリマーの調製。
【化３４】
0005543994.tif 000035
【００８２】
スターラー、滴下漏斗、温度計、および還流冷却器を備えた四つ口フラスコに、実施例９からのアジピン酸アリルオキシエタノールジエステル４０．７ｇ（１３０ｍｍｏｌ）およびシス−白金触媒５ｐｐｍを装入する。この始発装入物を９５℃に加熱する。１０分間のあいだに一般式ＸＸのＳｉＨシロキサン６６．６ｇ（ＳｉＨの２００ｍｍｏｌ）を１滴ずつ加え、このバッチを９５℃で１時間攪拌する。ＳｉＨ値の測定によりＳｉＨシロキサンの完全な転化が得られる。この結果、わずかに不透明でわずかに黄色の油が得られる。ＧＰＣによる分子量分布は、Ｍｗ＝８６３３、Ｍｎ＝３２６５である。
【００８３】
実施例２０
実施例１０の反応生成物をヒドロシリル化する試み
一般式ＸＸＩＩの本発明のポリシロキサンの調製。
【化３５】
0005543994.tif 000036
【００８４】
スターラー、滴下漏斗、温度計、および還流冷却器を備えた四つ口フラスコに、一般式ＸＶＩＩＩのＳｉＨシロキサン５７．１ｇ（５０ｍｍｏｌのＳｉＨ）およびカルシュテット触媒１０ｐｐｍを装入する。この始発装入物を９０℃に加熱する。１０分間のあいだに実施例１０からのラウリン酸アリルポリエステル３８．４ｇ（１３０ｍｍｏｌ）を１滴ずつ加え、このバッチを９０℃で１時間攪拌する。ＳｉＨ値の測定によりＳｉＨシロキサンの完全な転化が得られる。この結果、わずかに不透明でほぼ無色の液体が得られる。